(57)【要約】【課題】表示装置をもつ情報処理装置において、操作者であるユーザが正規のユーザであるかの判定と、表示オブジェクトの表示と、その表示オブジェクトの選択指定や表示オブジェクトの表示方向や表示倍率の指定とを、一度の操作で容易に実行させる。【解決手段】情報処理装置（ＣＰＵ１５、ＨＤＤ１６等からなる制御装置で例示）は、表示装置（ＬＣＤパネル１１で例示）と、表示装置での表示を制御する表示制御手段と、表示装置の所定の位置にそれぞれ配設され、非接触カードに記録された識別情報を非接触で読み取る複数の通信手段（アンテナ群３０で例示）と、その読み取りを行った複数の通信手段の配設位置に応じその非接触カードの載置方向を検出する載置方向検出手段と、そこで検出された載置方向に応じて、表示オブジェクトの取得又は表示方向や表示倍率などの表示形式の設定を行い、表示制御手段に表示指示を出力する表示指示手段とを備える。【選択図】図２
2009116800.tif 000002
【特許請求の範囲】
【請求項１】
表示装置を備えた情報処理装置であって、該表示装置での表示を制御する表示制御手段と、前記表示装置の所定の位置にそれぞれ配設され、非接触カードに記録された識別情報を非接触で読み取る複数の通信手段と、前記識別情報の読み取りを行った複数の通信手段の配設位置に応じて前記非接触カードが載置された方向を検出する載置方向検出手段と、該載置方向検出手段で検出された載置方向に応じて、表示オブジェクトの取得又は表示オブジェクトの表示形式の設定を行い、前記表示制御手段に表示指示を出力する表示指示手段とを備えたことを特徴とする情報処理装置。
【請求項２】
請求項１に記載の情報処理装置において、前記表示指示手段は、前記表示形式の設定として、前記載置方向に応じて前記表示オブジェクトの表示方向を決定し、該決定した表示方向で該表示オブジェクトを表示する設定を行うことを特徴とする情報処理装置。
【請求項３】
請求項１に記載の情報処理装置において、前記表示指示手段は、前記表示オブジェクトの取得として、前記載置方向に応じて前記表示オブジェクトの選択を行い、該選択した表示オブジェクトを取得することを特徴とする情報処理装置。
【請求項４】
請求項１に記載の情報処理装置において、前記表示指示手段は、前記表示形式の設定として、前記載置方向に応じて前記表示オブジェクトの表示倍率を決定し、該決定した表示倍率で該表示オブジェクトを表示する設定を行うことを特徴とする情報処理装置。
【請求項５】
請求項１〜４のいずれか１項に記載の情報処理装置において、前記複数の通信手段のいずれかで前記識別情報を読み取ったときに、前記非接触カードに記録されている所定のファイルをコピーするファイルコピー手段を備えることを特徴とする情報処理装置。
【請求項６】
請求項１〜４のいずれか１項に記載の情報処理装置において、アプリケーションの一つとしてＷＥＢブラウザが実行可能に組み込まれており、且つ、前記複数の通信手段のいずれかで前記識別情報を読み取ったときに、該非接触カード内のメモリの所定のアドレスからＵＲＩを読み出し、前記ＷＥＢブラウザを起動させて該ＵＲＩを渡すブラウザ起動手段を備え、前記ＷＥＢブラウザは、前記ＵＲＩで示されるＷＥＢページにアクセスすることを特徴とする情報処理装置。
【請求項７】
請求項６に記載の情報処理装置において、前記ＷＥＢブラウザは、前記ＵＲＩで示されるＷＥＢページの閲覧に際しユーザを識別するためのユーザ識別情報を必要とし、前記ブラウザ起動手段は、前記非接触カード内のメモリの他の所定のアドレスから、前記ユーザ識別情報を読み出し、前記ＷＥＢブラウザに渡し、前記ＷＥＢブラウザは、前記ＵＲＩで示されるＷＥＢページに前記ユーザ識別情報を与えることを特徴とする情報処理装置。
【請求項８】
請求項１〜４のいずれか１項に記載の情報処理装置において、複数のファイルが読み出し可能な状態で格納され、且つアプリケーションの一つとしてファイラが実行可能に組み込まれており、且つ、前記複数の通信手段のいずれか前記識別情報を読み取ったときに、該非接触カード内のメモリの所定のアドレスからファイル名を読み出し、前記ファイラを起動させて該ファイル名を渡すファイラ起動手段を備え、前記ファイラは、前記ファイル名が示すファイルにアクセスすることを特徴とする情報処理装置。
【請求項９】
請求項１〜４のいずれか１項に記載の情報処理装置において、当該情報処理装置には複数のファイルを記憶した１又は複数台のサーバ装置がアクセス可能に接続されており、且つアプリケーションの一つとしてファイラが実行可能に組み込まれており、且つ、前記複数の通信手段のいずれか前記識別情報を読み取ったときに、該非接触カード内のメモリの所定のアドレスからサーバ装置を特定するための特定情報を読み出し、前記ファイラを起動させて該特定情報を渡すファイラ起動手段を備え、前記ファイラは、前記特定情報で特定されたサーバ装置にアクセスすることを特徴とする情報処理装置。
【請求項１０】
請求項１〜９のいずれか１項に記載の情報処理装置において、前記非接触カードは無線通信可能な複数のＩＣタグを配設してなり、前記載置方向検出手段は、前記複数のＩＣタグのそれぞれに記録された識別情報を読み取った複数の通信手段の配設位置に応じて、前記載置方向を検出することを特徴とする情報処理装置。
【請求項１１】
請求項１〜１０のいずれか１項に記載の情報処理装置において、前記表示指示手段は、前記識別情報の読み取りを行った複数の通信手段の配設位置に応じて表示オブジェクトの表示座標を決定し、該決定した表示座標で該表示オブジェクトの表示を行う指示を、前記表示制御手段に出力する表示座標指示手段を有することを特徴とする情報処理装置。
【請求項１２】
請求項１〜１１のいずれか１項に記載の情報処理装置において、前記複数の通信手段のいずれかで前記識別情報を読み取ったときに、まず前記非接触カードに記録されている設定情報を読み出す設定情報読出手段を備え、前記表示指示手段は、前記設定情報読出手段で読み出された設定情報に基づいて、前記表示オブジェクトを決定することを特徴とする情報処理装置。
【請求項１３】
請求項１〜１２のいずれか１項に記載の情報処理装置において、前記複数の通信手段のいずれかによって前記識別情報が読み取られたときに、該読み取られた識別情報を認証する認証手段を備え、前記表示指示手段は、前記認証手段で認証が成功した場合のみ、前記表示制御手段への指示を出力することを特徴とする情報処理装置。
【請求項１４】
請求項１３に記載の情報処理装置において、前記認証手段は、前記識別情報の読み取りを行った通信手段に依らず共通の認証方式を用いることを特徴とする情報処理装置。
【発明の詳細な説明】
【技術分野】
【０００１】
本発明は、表示装置を備えた情報処理装置に関する。
【背景技術】
【０００２】
パーソナルコンピュータ（ＰＣ）などの情報処理装置には、それを操作するためのキーボードやポインティングデバイスといった操作装置が具備され、同じく具備された表示装置に表示した情報等に対してユーザ操作が可能となっている。
【０００３】
また、特許文献１には、非接触方式のＩＣ（Integrated Circuit）カード用のアンテナを複数設け、ＩＣカードとの通信がいずれのアンテナで行なわれたかに応じて、ＩＣカードに記憶された複数の情報の中から一つの情報を入力し、表示部に表示する非接触ＩＣカード端末装置が開示されている。
【特許文献１】特開２０００−２５１０２７公報
【発明の開示】
【発明が解決しようとする課題】
【０００４】
上述のごとく従来の情報処理装置においてはキーボードやマウスを用いて表示装置に表示した情報に対して操作を行うが、装置ユーザであるか否かの判定又はより厳格なユーザ認証を伴い且つ１つの装置を複数人で利用する場合、ユーザが変わる度に上記判定又はユーザ認証を行う必要があり、円滑な操作の妨げになっていた。
【０００５】
さらに、近年の表示装置の大画面化に伴い、特にテーブル状に表示装置を設置した場合、すなわち表示画面を接地面に水平又はほぼ水平を設置した場合、ユーザによって或いはユーザの表示装置に対する立ち位置によって表示オブジェクトを表示したい方向が異なることがある。このような場面として、例えば上述のごとく水平に設置されたテーブル状の表示装置を囲んで複数の出席者がミーティングを行う際に、各出席者が個別の電子資料を見る必要がある場面などが挙げられる。
【０００６】
しかしながら、従来の情報処理装置では、ユーザが表示したい表示方向に表示オブジェクトを表示するためには、一度表示オブジェクトを表示する操作だけでなくその表示後の表示オブジェクトに対して表示方向を変更する操作が必要となり、操作性が良いとは言えない。なお、特許文献１に記載の端末装置では、ＩＣカードとの通信がいずれのアンテナで行われたかに応じて、ＩＣカード内の複数の情報から一つが選ばれて表示部に表示されるが、その表示方向はどの情報が選択されても同じである。
【０００７】
また、一度表示した表示オブジェクトを再度表示させる場合には以前の表示方向や大きさを記憶しておき、それを読み出すことで実行することが考えられる。しかしながら、複数のユーザが入れ替わり利用する情報処理装置においては、この技術は表示オブジェクト毎にユーザ毎の以前の表示方向を記憶しておかなければならない。また、大画面の表示装置をもつ情報処理装置をミーティング等に用いるために水平に設置した場合には、例えば出席者同士の序列などにより以前の出席者が同じ席に座る可能性は少ないため、この技術は有効であるとは言えない。
【０００８】
また、表示方向に限らず、従来の情報処理装置では、ユーザが表示したい表示オブジェクトを選択することや表示したい表示倍率で表示するためには、一度表示オブジェクトを表示する操作だけでなくその表示後の表示オブジェクトに対して選択操作や表示倍率を変更する操作が必要となり、操作性が良いとは言えない。
【０００９】
本発明は、上述のごとき実状に鑑みてなされたものであり、表示装置を備えた情報処理装置において、操作者であるユーザが正規のユーザであるかの判定と、表示オブジェクトの表示と、その表示オブジェクトの選択指定や表示オブジェクトの表示方向や表示倍率の指定とを、一度の操作で容易に実行させることを、その目的とする。
【課題を解決するための手段】
【００１０】
上述のごとき課題を解決するために、本発明の第１の技術手段は、表示装置を備えた情報処理装置であって、該表示装置での表示を制御する表示制御手段と、前記表示装置の所定の位置にそれぞれ配設され、非接触カードに記録された識別情報を非接触で読み取る複数の通信手段と、前記識別情報の読み取りを行った複数の通信手段の配設位置に応じて前記非接触カードが載置された方向を検出する載置方向検出手段と、該載置方向検出手段で検出された載置方向に応じて、表示オブジェクトの取得又は表示オブジェクトの表示形式の設定を行い、前記表示制御手段に表示指示を出力する表示指示手段とを備えたことを特徴としたものである。
【００１１】
第２の技術手段は、第１の技術手段において、前記表示指示手段は、前記表示形式の設定として、前記載置方向に応じて前記表示オブジェクトの表示方向を決定し、該決定した表示方向で該表示オブジェクトを表示する設定を行うことを特徴としたものである。
【００１２】
第３の技術手段は、第１の技術手段において、前記表示指示手段は、前記表示オブジェクトの取得として、前記載置方向に応じて前記表示オブジェクトの選択を行い、該選択した表示オブジェクトを取得するとしたものである。
【００１３】
第４の技術手段は、第１の技術手段において、前記表示指示手段は、前記表示形式の設定として、前記載置方向に応じて前記表示オブジェクトの表示倍率を決定し、該決定した表示倍率で該表示オブジェクトを表示する設定を行うとしたものである。
【００１４】
第５の技術手段は、第１〜第４のいずれかの技術手段において、前記複数の通信手段のいずれかで前記識別情報を読み取ったときに、前記非接触カードに記録されている所定のファイルをコピーするファイルコピー手段を備えることを特徴としたものである。
【００１５】
第６の技術手段は、第１〜第４のいずれかの技術手段において、アプリケーションの一つとしてＷＥＢブラウザが実行可能に組み込まれており、且つ、前記複数の通信手段のいずれかで前記識別情報を読み取ったときに、該非接触カード内のメモリの所定のアドレスからＵＲＩを読み出し、前記ＷＥＢブラウザを起動させて該ＵＲＩを渡すブラウザ起動手段を備え、前記ＷＥＢブラウザは、前記ＵＲＩで示されるＷＥＢページにアクセスすることを特徴としたものである。
【００１６】
第７の技術手段は、第６の技術手段において、前記ＷＥＢブラウザは、前記ＵＲＩで示されるＷＥＢページの閲覧に際しユーザを識別するためのユーザ識別情報を必要とし、前記ブラウザ起動手段は、前記非接触カード内のメモリの他の所定のアドレスから、前記ユーザ識別情報を読み出し、前記ＷＥＢブラウザに渡し、前記ＷＥＢブラウザは、前記ＵＲＩで示されるＷＥＢページに前記ユーザ識別情報を与えることを特徴としたものである。
【００１７】
第８の技術手段は、第１〜第４のいずれかの技術手段において、複数のファイルが読み出し可能な状態で格納され、且つアプリケーションの一つとしてファイラが実行可能に組み込まれており、且つ、前記複数の通信手段のいずれか前記識別情報を読み取ったときに、該非接触カード内のメモリの所定のアドレスからファイル名を読み出し、前記ファイラを起動させて該ファイル名を渡すファイラ起動手段を備え、前記ファイラは、前記ファイル名が示すファイルにアクセスすることを特徴としたものである。
【００１８】
第９の技術手段は、第１〜第４のいずれかの技術手段において、当該情報処理装置には複数のファイルを記憶した１又は複数台のサーバ装置がアクセス可能に接続されており、且つアプリケーションの一つとしてファイラが実行可能に組み込まれており、且つ、前記複数の通信手段のいずれか前記識別情報を読み取ったときに、該非接触カード内のメモリの所定のアドレスからサーバ装置を特定するための特定情報を読み出し、前記ファイラを起動させて該特定情報を渡すファイラ起動手段を備え、前記ファイラは、前記特定情報で特定されたサーバ装置にアクセスすることを特徴としたものである。
【００１９】
第１０の技術手段は、第１〜第９のいずれかの技術手段において、前記非接触カードは無線通信可能な複数のＩＣタグを配設してなり、前記載置方向検出手段は、前記複数のＩＣタグのそれぞれに記録された識別情報を読み取った複数の通信手段の配設位置に応じて、前記載置方向を検出することを特徴としたものである。
【００２０】
第１１の技術手段は、第１〜第１０のいずれかの技術手段において、前記表示指示手段は、前記識別情報の読み取りを行った複数の通信手段の配設位置に応じて表示オブジェクトの表示座標を決定し、該決定した表示座標で該表示オブジェクトの表示を行う指示を、前記表示制御手段に出力する表示座標指示手段を有することを特徴としたものである。
【００２１】
第１２の技術手段は、第１〜第１１のいずれかの技術手段において、前記複数の通信手段のいずれかで前記識別情報を読み取ったときに、まず前記非接触カードに記録されている設定情報を読み出す設定情報読出手段を備え、前記表示指示手段は、前記設定情報読出手段で読み出された設定情報に基づいて、前記表示オブジェクトを決定することを特徴としたものである。
【００２２】
第１３の技術手段は、第１〜第１２のいずれかの技術手段において、前記複数の通信手段のいずれかによって前記識別情報が読み取られたときに、該読み取られた識別情報を認証する認証手段を備え、前記表示指示手段は、前記認証手段で認証が成功した場合のみ、前記表示制御手段への指示を出力することを特徴としたものである。
【００２３】
第１４の技術手段は、第１３の技術手段において、前記認証手段は、前記識別情報の読み取りを行った通信手段に依らず共通の認証方式を用いることを特徴としたものである。
【発明の効果】
【００２４】
本発明によれば、表示装置を備えた情報処理装置において、操作者であるユーザが正規のユーザであるかの判定と、表示オブジェクトの表示と、その表示オブジェクトの選択指定や表示オブジェクトの表示方向や表示倍率の指定とを、一度の操作で容易に実行させることができる。
【発明を実施するための最良の形態】
【００２５】
図１は、本発明の一実施形態に係る情報処理装置の一例を示す外観図である。図１で例示する情報処理装置は、表示装置１０と、表示装置１０に接続されたＰＣ等の制御装置（図示せず）とを備えた情報表示装置であり、主としてミーティングなどでの利用に好適な情報表示システム（以下、単に「表示システム」という）である。
【００２６】
また、表示装置１０は、ミーティング等に使用し易いように接地面に表示画面が水平又はほぼ水平となるように台座（スタンド）２０上に載置され、表示装置１０と台座２０とでテーブルを構成している。ここで図示する台座２０は、表示装置１０を支持する脚部２２と、脚部２２を接地面上に立たせるように支持する基台２１とを備える。この表示システムは、テーブルの周りに利用者が位置して着席した状態又は起立した状態で使用されるが、台座２０は表示画面やそのフレームを押圧した場合でも倒れないような構造を持たせておけばよい。また、基台２１の底部にキャスター（移動用車輪）を設けることでこの表示システムを移動可能にしてもよい。
【００２７】
ここで例示する表示装置１０は、その画像データを表示する薄型且つ大型のＬＣＤ（Liquid Crystal Display）パネル等の表示手段１１に加え、表示手段１１の画面の前面側に設けられ、表示手段１１で表示された情報に対する操作を行うためのタッチパネル１２を備えている。タッチパネル１２は、タッチペンや指などによりタッチされた位置の座標を入力する装置であり、制御装置にその操作信号（座標を示す信号等）を送るよう構成しておくとよい。ここで図示するタッチパネル１２は、ＬＥＤ（Light Emitting Diode）アレイとフォトトランジスタアレイを表示手段１１のフレームに設けておき、遮られた光を検出するものであるが、その他、様々な構成及び座標検出方式が採用できる。なお、本発明に係る情報処理装置はこの表示手段１１に相当する表示装置を備えていればよく、タッチパネル１２は具備しなくてもよい。
【００２８】
制御装置は、表示対象となる画像データを表示手段１１に送り、表示手段１１に表示させる制御を行う表示制御手段を有する。また、この制御装置は、表示装置１０に内蔵しても外付けしてもよい。
【００２９】
図２は、図１の表示システムの一構成例を示すブロック図で、ここでは図１において台座２０及びタッチパネル１２を除いた部分の構成例を示している。また、図３は、図２の表示パネルにおけるアンテナ配置例と図２の表示システムを操作する際に使用する非接触カードの例を示す図で、図４は、図３の非接触カードの一構成例を示すブロック図である。
【００３０】
図２で例示する表示システムでは、上述の制御装置が、メモリ１３、ＬＣＤコントローラ１４、ＣＰＵ（Central Processing Unit）１５、ハードディスクドライブ（ＨＤＤ）１６、ＮＩＣ（Network Interface Card）１７、アンテナ群３０、セレクタ３１、及び通信ユニット３２により構成されるものとして説明する。なお、タッチパネル１２はＣＰＵ１５に接続しておくことで、ＣＰＵ１５でその操作信号（座標を示す信号等）が得られる。
【００３１】
ＣＰＵ１５は、表示装置１０の全体の制御を行う。メモリ１３、ＨＤＤ１６は、オペレーションシステム（ＯＳ）を含むプログラムと、そのプログラムで読み出し可能なデータとを記憶する。メモリ１３は、例えばＯＳを記憶したＲＯＭ（Read Only Memory）とプログラムの実行領域（作業領域）としてのＲＡＭ（Random Access Memory）とで構成するとよく、ＨＤＤ１６はそれ以外のプログラムやデータを格納しておくとよい。また、ＮＩＣ１７は、図示しないＷＥＢサーバ、ファイルサーバ、クライアントＰＣなどとネットワーク接続するためのネットワーク通信手段の一例である。
【００３２】
以下、表示手段１１としてＬＣＤパネルを挙げて説明する。但し、表示手段１１としては、ＬＣＤの他に、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）等の表示手段を適用することができる。ＬＣＤパネル１１は、ＬＣＤコントローラ１４で制御され、画像表示を行う。ＬＣＤコントローラ１４は、ＣＰＵ１５に制御されてＬＣＤパネル１１の表示を制御し、ＬＣＤパネル１１はその制御に基づき画像表示を行う。
【００３３】
このように、上述の表示制御手段は、主としてＣＰＵ１５及びＬＣＤコントローラ１４で例示できる。表示オブジェクト（表示画像）は、例えばＨＤＤ１６等に格納しておいたものをＣＰＵ１５で読み出せばよい。
【００３４】
アンテナ群３０、セレクタ３１、通信ユニット３２、及びＣＰＵ１５は、本発明の主たる特徴の一つとして、非接触カード４０を用いた後述の表示指定操作が可能なよう組み込まれた操作手段の一例である。なお、この表示システムでは、タッチパネル１２で例示したように他の操作装置を具備しておき、それを用いた操作も可能としてもよい。例えば、キーボード、マウスなどの操作装置を具備してもよい。
【００３５】
アンテナ群３０は、図３及び図４で例示するように、ｎ行ｍ列のｎ×ｍ個のアンテナ３０（Ｘ１，Ｙ１），・・・，３０（Ｘｍ，Ｙ１），３０（Ｘ１，Ｙ２），・・・，３０（Ｘｍ，Ｙ２），・・・，３０（Ｘ１，Ｙｎ），・・・，３０（Ｘｍ，Ｙｎ）でなる。アンテナ群３０は、非接触カード４０に記録された識別情報を非接触で読み取る複数の通信手段の一例である。各通信手段は、少なくとも識別情報の読み取りのために配設され、好ましくは非接触カード４０と無線通信を行い識別情報とは異なる他の情報（他情報と呼ぶ）を読み書きするために配設されている。以下、これらのアンテナ３０（Ｘ１，Ｙ１），・・・のうち不特定のアンテナを指すときは符号３０ＸＹを使用する。各アンテナ３０ＸＹには、上述のごとく位置する座標に基づく符号が付与されており、各アンテナ３０ＸＹそれぞれが一つの通信手段の一例に該当する。そして、ｎ×ｍ個のアンテナ３０ＸＹは、表示装置１０の表示画面（この例ではＬＣＤパネル１１の表示画面）の背後（背面）の所定の位置に、マトリクス状に配設されているものとする。勿論、アンテナ３０ＸＹの配置はマトリクス状の方が好ましいが、これに限ったものではない。
【００３６】
ここで、表示画面の背後とは、最前面に設けた透明パネルの背後やその透明パネル内部も含むものとする。さらに、各アンテナ３０ＸＹは、表示画面の背後に限らず、表示装置１０の所定の位置にそれぞれ配設されていればよく、表示画面のさらに前側（表側）に設けてもよい。例えば、表示画面の表側にガラスを設けて、そのガラス上に透明の導電性部材でアンテナ３０ＸＹを形成してもよい。
【００３７】
次に、非接触カード４０の構成例について図４を参照しながら説明する。非接触カード４０は、１又は複数の無線通信手段を配設してなる非接触方式の電子カード（例えばＩＣカード）である。非接触カード４０には、無線通信可能な２つ以上のＩＣタグが組み込まれていることが好ましく、以下では、図３及び図４のようにＩＣタグ（ＩＣ−Ａ）４１及びＩＣタグ（ＩＣ−Ｂ）４６の２つのＩＣタグが組み込まれている例を挙げる。一方のＩＣタグ４１は、アンテナ４２、ＣＰＵ４３、及びメモリ４４を有する。他方のＩＣタグ４６も、同様にアンテナ４７、ＣＰＵ４８、及びメモリ４９を有する。ここで、非接触カード４０の正しい方向（カード正方向と呼ぶ）に対して、ＩＣタグ４１が左側、ＩＣタグ４６が右に位置するものとする。カード正方向は、文字や後述の顔写真などを非接触カード４０上にプリントしておくことで、ユーザ視認可能となる。
【００３８】
カード側アンテナ４２は、アンテナ群３０のいずれかのアンテナ３０ＸＹと電磁波で通信を行う。カード側ＣＰＵ４３は、カード側アンテナ４２で受信した電磁波を供給電力として動作し、カード側メモリ４４に記憶された情報をアンテナ群３０のいずれかのアンテナ３０ＸＹに送信する。カード側メモリ４４には、この情報として、識別情報４４ａが少なくとも格納され、好ましくはカード内情報Ａ１（４４ｂ）及びカード内情報Ａ２（４４ｃ）のように他情報も格納しておくとよい。識別情報４４ａは、非接触カード４０を所持するユーザに対して一対一に付与されるＩＤ情報である。勿論、カード内情報としては２つの他情報に限ったものではなく、他情報の利用については後述する。また、カード側メモリ４４にはアンテナ群３０からの情報を記憶することも可能である。ＩＣタグ４６側もＩＣタグ４１とその構成は同じであるが、カード側メモリ４９には、識別情報４９ａ、カード内情報Ｂ１（４９ｂ）、及びカード内情報Ｂ２（４９ｃ）が格納されている。識別情報４９ａは、非接触カード４０を所持するユーザに対して一対一に付与されるＩＤ情報であり、非接触カード４０の載置方向を判別するために識別情報４４ａとは異なる情報とする。
【００３９】
このような構成の非接触カード４０をｎ×ｍ個のうちいずれかのアンテナ３０ＸＹの正当な位置に近づけたときに、２以上のアンテナ３０ＸＹで、内部のＩＣタグ４１（又はＩＣタグ４６）を同時に検知（検出）することを避けるべきであり、ｎ×ｍ個の各アンテナ３０ＸＹはこのような位置に配置する。また、画面の各領域において同じ設置密度となるように、均一に各アンテナ３０ＸＹを配置することが好ましい。ＩＣタグ４１内のアンテナとＩＣタグ４６内のアンテナとは、この設置密度と同じかそれより粗い密度に、すなわちこれらアンテナ間の距離がＬＣＤパネル１１側の隣接するアンテナ３０ＸＹ間の距離以上になるように、組み込んでおくとよい。
【００４０】
セレクタ３１、通信ユニット３２、及びＣＰＵ１５は、複数のアンテナ３０ＸＹを制御する通信制御手段の一例である。この通信制御手段は、複数のアンテナ３０ＸＹのいずれかに非接触カード４０（より具体的にはＩＣタグ４１又はＩＣタグ４６）が近接されたときに、その非接触カード４０（ＩＣタグ４１又はＩＣタグ４６）からの識別情報の読み取りを行い、必要に応じて、その非接触カード４０（ＩＣタグ４１又はＩＣタグ４６）との間で他情報の通信を行うよう、その非接触カード４０（ＩＣタグ４１又はＩＣタグ４６）が近接されたアンテナ３０ＸＹを制御する。
【００４１】
より具体的には、セレクタ３１は、複数のアンテナ３０ＸＹからの入出力を時分割で切り替えて、１つの通信ユニット３２に複数のアンテナ３０ＸＹを接続する。通信ユニット３２は、アンテナ３０ＸＹを介して非接触カード４０（ＩＣタグ４１又はＩＣタグ４６）との通信を行う。実際には、ＩＣタグ４１とＩＣタグ４６とは同じ非接触カード４０に埋め込まれているため、時分割によりＩＣタグ４１，４６のうちまず一方と通信し、次いで他方と通信することになる。通信ユニット３２は、ＣＰＵ１５に接続されており、ＣＰＵ１５に識別情報や他情報を渡すことや、ＣＰＵ１５経由で他情報を受け取ることが可能となっている。
【００４２】
なお、ここでは非接触カード４０がアンテナ３０ＸＹに近接したときに、アンテナ３０ＸＹからの電波に応じて識別情報を返信することを前提としている。しかし、カード側のアンテナから自発的に識別情報を送信するように非接触カード４０のＩＣタグ４１，４６を構成し、アンテナ３０ＸＹもそれに対応させてもよい。
【００４３】
さらに、上述の制御装置は、本発明の主たる特徴の１つとして、次の載置方向検出手段及び表示指示手段を備える。例えば、この載置方向検出手段及び表示指示手段としてＣＰＵ１５を機能させるための検出・指示プログラムを、上述のプログラムの一部として組み込むことで、実装できる。
【００４４】
この載置方向検出手段は、識別情報の読み取りを行った複数の通信手段の配設位置に応じて非接触カード４０が載置された方向（載置方向）を検出する。非接触カード４０がＩＣタグ４１，４６を有する上述した構成例を採用した場合、載置方向は、ＩＣタグ４１から識別情報Ａ（４４ａ）を読み取った一方のアンテナ３０ＸＹとＩＣタグ４６から識別情報Ｂ（４９ａ）を読み取った他方のアンテナ３０ＸＹとの配設位置によって検出できる。例えばＩＣタグ４１が左側のアンテナ３０ＸＹで検出され且つＩＣタグ４６が右側のアンテナ３０ＸＹで検出された場合には正立方向として検出する。同様に、ＩＣタグ４１が右でＩＣタグ４６が左であれば逆立方向、ＩＣタグ４１が上でＩＣタグ４６が下であれば正の縦方向、ＩＣタグ４１が下でＩＣタグ４６が上であれば逆の縦方向、ＩＣタグ４１が左下でＩＣタグ４６が右上であれば正の斜め方向などと検出できる。
【００４５】
識別情報の読み取りを行ったアンテナ３０ＸＹの特定は、ＣＰＵ１５が、通信ユニット３２を介してセレクタ３１で現時点で選択されているアンテナ３０ＸＹを知ることで可能となる。但し、ほぼ同時に読み取った識別情報のうち、ＩＣタグ４１，４６の設置間隔だけ離間したアンテナ３０ＸＹ同士（例えば隣り合うアンテナ３０ＸＹ同士）を関連付けて処理しなければならない。同時に複数のユーザが別々の箇所で非接触カード４０を近接されている可能性もあるためである。
【００４６】
そして、上述の表示指示手段は、載置方向検出手段で検出された載置方向に応じて表示オブジェクトの表示指示内容を決定し、上述の表示制御手段に出力する。ここで、決定される表示指示内容としては、表示オブジェクトの表示方向や表示倍率等の表示形式を設定する指示や、表示オブジェクト自体を選択する指示などが該当する。つまり、上述の表示指示手段は、検出された載置方向に応じて、表示オブジェクトの取得及び／又は表示オブジェクトの表示形式の設定を行い、表示制御手段に表示指示を出力する。以下、まず、「表示方向」を指示する例を挙げる。
【００４７】
図２の構成例では、ＣＰＵ１５が、識別情報の読み取りを行った複数のアンテナ３０ＸＹの載置方向に応じて表示オブジェクトの表示方向を決定し、決定した表示方向でその表示オブジェクトの表示を行う指示を、ＬＣＤコントローラ１４に出力する。より具体的には、表示方向は載置方向と同じ方向に決定すればよい。これにより、ＬＣＤパネル１１上に、その指示に基づいた方向で表示オブジェクトが表示される。表示オブジェクトとしては、アイコンや表示用ウインドウ（アプリケーションの実行画面を含む）等が該当する。この例においては、表示オブジェクトは上述のごとくＨＤＤ１６から読み出せばよく、その読み出し例や他の読み出し例については後述する。
【００４８】
また、表示オブジェクトの表示位置は、任意であってもよいが、その操作を行ったユーザに近い位置であることが好ましい。従って、表示指示手段は、次の表示座標指示手段を有することが好ましい。この表示座標指示手段は、識別情報の読み取りを行った複数の通信手段の配設位置に応じて表示オブジェクトの表示座標を決定し、決定した表示座標でその表示オブジェクトの表示を行う指示を、上述の表示制御手段に出力する。以下、表示指示手段が、表示方向だけでなく、このような表示位置も指示する例を挙げる。
【００４９】
図２の構成例では、ＣＰＵ１５が、識別情報の読み取りを行った複数のアンテナ３０ＸＹの配設位置に応じて表示オブジェクトの表示座標を決定し、決定した表示座標でその表示オブジェクトの表示を行う指示を、ＬＣＤコントローラ１４に出力する。表示オブジェクトの表示座標とは表示オブジェクトの表示位置を示す座標を指す。表示座標は、まず表示方向の決定を行ってから、その表示方向に応じて決定するとよい。例えば、決定された表示方向で表示オブジェクトを表示するために、識別情報４４ａ，４９ａを読み取った２つのアンテナ３０ＸＹのＬＣＤパネル１１上の設置座標を少なくとも含むように、表示座標を決定するとよい。識別情報４４ａを読み取った側のアンテナ３０ＸＹの設置座標を、表示オブジェクトを正面からユーザが見た場合の左上座標などと決めておいてもよい。これにより、ＬＣＤパネル１１上に、その指示に基づいた方向・位置で表示オブジェクトが表示される。また、画面端の関係上、決定した表示座標では表示オブジェクトが画面に収まりきらない場合には、決定した表示座標をずらして再度決定し、表示オブジェクト全てが表示できるようにすることが好ましい。
【００５０】
以上、説明したように、本発明の表示システムによれば、非接触カードを表示画面上のユーザが望む位置にかざす（近接させる）といった一度の操作だけで、（I）識別情報を得ることで操作者であるユーザが正規のユーザであるかの判定が実行でき、（II）ファイルアイコン等のアイコンやアプリケーション実行画面等の表示用ウインドウといった表示オブジェクトを表示させることができ、（III）その表示オブジェクトの表示方向の指定を行うこともできる。また、表示座標指示手段を備えることで、その表示オブジェクトの表示位置も同時に指定できる。従って、本発明の表示システムによれば、ユーザの作業が少なくて済み、結果としてユーザ操作性を向上させることができる。なお、上記（III）に関し、表示方向の代わりに、或いはそれと併せて、後述する表示倍率の指定やその表示オブジェクトの選択指定も行うことができる。
【００５１】
上記（I）については、正規の非接触カード４０でなければ識別情報が得られないため、その後の処理を実行しなければよく、また正規のフォーマットの識別情報でなかった場合にもその後の処理を実行しなければよい。また、次に説明するように、識別情報を用いた正式な認証を実行することで、一度の操作だけで上記（II），（III）と同時に認証まで実行できるようになる。
【００５２】
認証を実行するために、上述の制御装置は、複数の通信手段のいずれかによって識別情報が読み取られたときに、その読み取られた識別情報を認証する認証手段を備える。認証用のデータ（認証情報と呼ぶ）を後述する図５のように例えばメモリ１３又はＨＤＤ１６に格納しておき、ＣＰＵ１５が読み取られた識別情報との比較を行うとよい。識別情報Ａ（４４ａ），Ｂ（４９ａ）の双方を認証対象としてもよい。若しくは、例えば左側又は上側のアンテナと通信する方のＩＣタグのみ或いは識別情報Ａを読み取った側のＩＣタグのみなど、予め定められた側のＩＣタグに記録された側の識別情報のみを認証対象としてもよい。そして、表示指示手段は、認証手段で認証が成功した場合のみ、表示制御手段への指示を出力する。例えば、通信ユニット３２が、複数のアンテナ３０ＸＹのいずれかを介して識別情報が入力されると、ＣＰＵ１５にその識別情報を渡し、ＣＰＵ１５が特定の認証情報と一致するか否かを判定し、一致する場合にのみＬＣＤコントローラ１４に対して表示オブジェクトの表示指示を出力するとよい。勿論、認証が失敗した場合には、例えば表示指示決定処理自体も実行しないよう構成しておくことが好ましい。また、非接触カード４０との他情報の通信も、一致する場合のみ許可するよう制御するとよい。一方、認証に失敗した場合、ＣＰＵ１５はその近接させた操作を無視するか、或いは認証が失敗して操作できない旨をＬＣＤパネル１１に表示させるなどしてもよい。
【００５３】
また、この認証手段は、識別情報の読み取りを行ったアンテナ３０ＸＹに依らず共通の認証方式を用いて認証処理を実行するものとする。すなわち、この認証手段における認証処理は、各通信手段（ここではアンテナ３０ＸＹ）に対して共通の手段で実行されることとなる。
【００５４】
図５は、図２のＨＤＤに格納された情報の一例を示す図である。図５に例示するように、ＨＤＤ１６（又はメモリ１３）には、ユーザ認証用にユーザ情報テーブル（利用者情報テーブル）１６ａが格納されていると共に、ウインドウ座標設定テーブル１６ｂが格納されている。
【００５５】
ユーザ情報テーブル１６ａは、この表示システムを利用可能か否かの認証を行うために利用するＩＤ情報を格納したテーブルであり、このＩＤ情報は、上述の認証手段での認証情報に該当する。ユーザ情報テーブル１６ａには、例えばユーザ１に対する識別情報１Ａ，識別情報１Ｂ、ユーザ２に対する識別情報２Ａ，識別情報２Ｂのように、ユーザ毎のＩＤ情報のリストを好ましくは非接触カード４０内のＩＣタグ４１，４６に対応させて格納しておけばよい。ユーザ情報テーブル１６ａにおいて識別情報を格納しておく対象のユーザは、例えばこの表示システムを所有する部署の所属員などとすればよい。
【００５６】
ウインドウ座標設定テーブル１６ｂは、識別情報Ａ／Ｂを読み出したアンテナ３０ＸＹと、表示オブジェクト座標の対応関係を示すテーブルである。例えば、アンテナ３０（Ｘ１，Ｙ１）に対しては表示オブジェクト座標を（Ｘ１，Ｙ１）などと規定しておく。ＣＰＵ１５は、アンテナ３０ＸＹで非接触カード４０を検知し識別情報Ａ／Ｂを読み出したら、表示方向の決定と共に、このテーブル１６ｂを参照して、表示オブジェクトの表示の角の座標を決定して、表示指示を行えばよい。なお、上述したように、アンテナ３０ＸＹの座標と同じに表示オブジェクト座標を設定しておく必要は必ずしもない。
【００５７】
図６は、図２の表示システムにおいて実行される処理の一例を説明するためのフロー図である。また、図７は、図６の処理例における非接触カードの載置方法の一例を示す図で、図８は、図７の載置方法で載置したときの、図６の処理例において表示される表示画面の一例を示す図である。図６〜図８を参照して、図２の表示システムにおいて実行される処理について例示する。
【００５８】
まず、通信ユニット３２で、いずれかのアンテナ３０ＸＹで非接触カード４０のＩＣタグ４１又はＩＣタグ４６からの電波が受信されるのを待つ（ステップＳ１）。いずれかのアンテナ３０ＸＹから電波を受信したとき（ステップＳ１でＹＥＳとなったとき）、通信ユニット３２は非接触カード４０に記憶されている識別情報を読み出してＣＰＵ１５に渡す（ステップＳ２）。ＣＰＵ１５は、その識別情報をメモリ１３に一時記憶する。
【００５９】
次に、ＣＰＵ１５は、メモリ１３に一時記憶された識別情報を読み出し、その中に同一の非接触カード４０内の識別情報Ａ，Ｂが両方存在するか否かにより、同一の非接触カード４０内の識別情報Ａ，Ｂが両方検出されたか否かを判定する（ステップＳ３）。ステップＳ３でＮＯの場合には、ステップＳ１へ戻り、ＹＥＳの場合のみステップＳ４へ進む。例えば、図７で例示するように、ユーザがカード正方向を文字や顔写真４５などのプリントを視認して判断し、非接触カード４０をカード正方向を画面の正方向に向けて近接させると、ステップＳ１でアンテナ３０（Ｘ５，Ｙｎ）からＩＣタグ４１の識別情報Ａ（４４ａ）が読み出されてメモリ１３に一時記憶され、ステップＳ３でＮＯとなり、続いてステップＳ１でアンテナ３０（Ｘ６，Ｙｎ）からＩＣタグ４６の識別情報Ｂ（４９ａ）が読み出されメモリ１３に一時記憶される。この結果、ステップＳ３の判定結果がＹＥＳとなり、ステップＳ４へ進む。なお、ステップＳ３でＹＥＳと判定されるまでの時間には、制限を設けることが好ましい。そのため、最初に一方の識別情報が検出されてから他方の識別情報の検出があるまでの時間が所定時間を超えた場合に最初の識別情報をメモリ１３から消去しておけばよい。
【００６０】
ステップＳ４では、ＣＰＵ１５が、識別情報Ａ，Ｂの読み取りを行った２つのアンテナ３０ＸＹ（この例ではアンテナ３０（Ｘ５，Ｙｎ）及びアンテナ３０（Ｘ６，Ｙｎ））の配設位置に応じて載置方向を決定し、その載置方向に応じて表示方向を設定する。より具体的には、識別情報Ａを検知したアンテナの符号（ＸＡ，ＹＡ）と識別情報Ｂを検知したアンテナの符号（ＸＢ，ＹＢ）とを比較し、その符号におけるＸに対するＡとＢの大小関係とＹに対するＡとＢの大小関係とから、例えば次のような判定式で判定することができる。
【００６１】
（１）ＸについてＡ＜Ｂ、且つＹについてＡ＝Ｂの場合、正立方向
（２）ＸについてＡ＞Ｂ、且つＹについてＡ＝Ｂの場合、逆立方向
（３）ＸについてＡ＝Ｂ、且つＹについてＡ＜Ｂの場合、左向き方向
（４）ＸについてＡ＝Ｂ、且つＹについてＡ＞Ｂの場合、右向き方向
【００６２】
この例では、識別情報Ａを検知したアンテナの符号が（Ｘ５，Ｙｎ）、識別情報Ｂを検知したアンテナの符号が（Ｘ６，Ｙｎ）であり、上記（１）に該当し、正立方向であると判定され、表示方向も同じ方向に決定される。また、ステップＳ４ではＣＰＵ１５が、表示方向の決定だけでなく、ウインドウ座標設定テーブル１６ｂを参照し、非接触カード４０を検知した２つのアンテナ３０ＸＹ（又はそのうち１つ）から表示オブジェクトの表示座標を決定（特定）する。また、上述した例とは逆に、この非接触カード４０の載置位置を外しその載置位置に隣接位置に、表示オブジェクト座標を決定してもよい。これにより非接触カード４０の載置位置に表示オブジェクトが重なることを防ぐことができる。
【００６３】
このようにして表示方向及び表示オブジェクト座標を特定した後、ＣＰＵ１５は、ユーザ情報テーブル１６ａを参照し、識別情報Ａ，Ｂのいずれかがそこに記憶されている識別情報のいずれかと一致するか否かを判定（照合）することで、ユーザ認証を行う（ステップＳ５）。ステップＳ５において、非接触カード４０に記憶されている識別情報Ａ，Ｂがユーザ情報テーブル１６ａ内の識別情報のいずれとも一致しなかった場合には、ＣＰＵ１５がＬＣＤコントローラ１４を制御し、ユーザ認証失敗としてエラー表示を行い（ステップＳ６）、ステップＳ１に戻り、次の操作を待つ。
【００６４】
一方、ステップＳ５で一致したと判定された場合、ＣＰＵ１５は、予め定められた表示オブジェクトの画像データをＨＤＤ１６から読み出して、ステップＳ３で最終的に特定した表示方向及び表示座標でその表示オブジェクトを表示するよう、ＬＣＤコントローラ１４に出力する（ステップＳ７）。ステップＳ７では、ＬＣＤコントローラ１４がＬＣＤパネル１１を制御してその表示オブジェクトをその表示方向及び表示座標に表示する。図７のようにユーザが非接触カード４０を「顔写真がユーザ本人の方向を向いた正立状態」でテーブル上に載置した場合、載置方向が正立状態であることを検出することができる。そして、図８で例示したように表示オブジェクト５１が正立方向に表示される。ここでは、表示オブジェクト５１がプレゼンテーション用のファイル（以下、プレゼンファイルと呼ぶ）の実行画面であり、その１ページ目のタイトル『「プレゼン」  議題「販売計画」  現状の課題』が正立状態で表示されていることが分かる。また、表示オブジェクト５１をファイルの実行画面とする代わりにそのファイルを開くためのアイコンとしても、同様に処理できる。勿論、この表示のためにはプレゼンファイル用のアプリケーションが上述の制御装置に実行可能に組み込まれているものとする。
【００６５】
ステップＳ７に続いて、ＣＰＵ１５が通信ユニット３２からいずれのアンテナ３０ＸＹでも非接触カード４０からの電波を受信していないか否か、すなわち同じ非接触カード４０が非検知であるか否かを判定する（ステップＳ８）。ステップＳ８でＮＯの場合、非検知になるのを待ち、非接触カード４０がテーブルから離間しアンテナとの通信が途絶えＹＥＳとなった時点で、ステップＳ１へ戻り、次の操作を待つ。なお、ステップＳ５（及びＮＯの場合のステップＳ６）の処理はステップＳ２の直後に実行し、ステップＳ４の処理に次いでステップＳ７の処理を実行するようにしてもよい。
【００６６】
なお、表示オブジェクトとして表示用ウィンドウが表示される場合には特に、他のオブジェクトとの表示が重なる場合もないとは言えない。その場合には、他のオブジェクトに上書きする形で表示させればよく、また他のオブジェクトの表示領域を必要に応じて小さくするなどしてもよい。
【００６７】
図９は、図６の処理例において表示される表示画面の他の例を示す図で、例えば図８のように非接触カードを回転させたときの表示画面例を示す図である。また、図１０は、図６の処理例において表示される表示画面の他の例を示す図で、例えば図９のように非接触カードを回転させたときの表示画面例を示す図である。
【００６８】
ステップＳ７において図８の表示オブジェクト５１のように表示させた後、ユーザが、図９の点線矢視で示す方向又はその逆の方向で非接触カード４０を回転させるなどして、顔写真がユーザの対面に位置する人物に向けた逆立状態でテーブル上に載置したときには、一旦ステップＳ８でＹＥＳとなり、その後、同様の処理により図９に示すように、対面の人物の方向に向いて反対向きに変更された状態で、表示オブジェクト５２が表示される。表示オブジェクト５２と表示オブジェクト５１とは同じファイルの実行画面である。勿論、このような表示は、図８のごとき載置の代わりに図９のごとき載置を実行しても得られる。
【００６９】
このように、非接触カード４０が載置され表示オブジェクトが表示された後、同じ非接触カード４０を別の位置に載置し同じ表示オブジェクトの表示処理を行う場合には、最初に表示した表示オブジェクトを消去すればよい。また、表示の消去は非接触カード４０を用いない別の操作で行うようにしてもよいし、タイマなどを設け表示後、所定時間で表示が消去されるようにしてもよい。
【００７０】
同様に、ステップＳ７において図９の表示オブジェクト５２のように表示させた後、ユーザが、図１０の点線矢視で示す方向又はその逆の方向で非接触カード４０を回転させるなどして、顔写真がユーザの右側の面に位置する人物に向けた右向き状態でテーブル上に載置したときには、一旦ステップＳ８でＹＥＳとなり、その後、同様の処理により図１０に示すように、ユーザの右側の面に位置する人物の方向に向いて右向きに変更された状態で、表示オブジェクト５３が表示される。表示オブジェクト５３と表示オブジェクト５１，５２とは同じファイルの実行画面である。勿論、このような表示は、図８又は図９のごとき載置の代わりに図１０のごとき載置を実行しても得られる。
【００７１】
以上説明した例では、表示オブジェクト５１として既存の予め定められたファイルをＨＤＤ１６から読み出すものとしたが、新規に特定の種類のファイルを開く場合も想定できる。このような場合、上述の制御装置には、複数のアンテナ３０ＸＹのいずれかで識別情報を読み取ったときに、所定のファイルを生成するファイル生成手段を備えておくとよい。これにより新規のファイルが生成でき、表示オブジェクト５１としてその実行画面又はそのアイコンを表示させることができる。
【００７２】
また、以上説明した例では、表示オブジェクト５１として新規か既存の予め定められたものをＨＤＤ１６から読み出すものとしたが、また、表示オブジェクト５１は非接触カード４０のメモリ４４又はメモリ４９内のカード内情報４４ｂ，４４ｃ，４９ｂ，４９ｃから得ることもできる。そして、得られた表示オブジェクトを載置方向に応じて表示方向を決定して表示すればよい。
【００７３】
その一例としてファイラの実行画面を表示オブジェクトにする例を挙げる。その前提として、上述の制御装置にアプリケーションとしてファイラが実行可能に組み込まれており、ファイラでの表示対象となるファイルも読み出し可能な状態でＨＤＤ１６に格納されているものとする。ファイラとは、記憶装置の中を階層的に表示し、ファイルやフォルダを操作するためのアプリケーションである。なお、アプリケーションとしては、この例ではファイラのみがインストールされていればよいが、後述の他のアプリケーションもインストールされていてもよい。
【００７４】
ファイラに対応するカード内情報として、この例ではファイル名又はファイルの格納先を格納しておけばよい。ファイル名は、ＨＤＤ１６内のファイルを特定できる名前を指し、ファイラに入力してそのファイルが含まれるフォルダ内のファイル一覧を表示させたり、ファイラに入力してファイル自体を開くときに利用する。
【００７５】
カード内情報としてファイル名が格納されている場合には、ステップＳ２の識別情報の読み出し処理より後で、且つステップＳ７におけるオブジェクトの表示処理より以前に、ファイル名の読み出し処理を実行するとよい。そのため、上述の制御装置は、複数のアンテナ３０ＸＹのいずれかから識別情報を読み取ったときに、非接触カード４０内のメモリ４４又は４９の所定のアドレスからファイル名を読み出し、ファイラを起動させてそのファイル名を渡すファイラ起動手段を備える。このファイラ起動手段は、例えばファイラ起動アプリケーションとして実行可能に組み込むとよい。より具体的には、ファイル名の読み出しは、ＣＰＵ１５が通信ユニット３２、セレクタ３１を介し、その非接触カード４０のＩＣタグ４１又はＩＣタグ４６が近接された一つのアンテナ３０ＸＹを制御することで実現できる。つまりファイル名の読み出しは、通信制御手段で実行できる。
【００７６】
起動したファイラは、ＨＤＤ１６内のファイル名が示すファイルにアクセスして、そのファイルが存在するフォルダを開いて、フォルダ内のファイルやサブフォルダを抽出する。このようにして、抽出されたファイル群を示すファイラの実行画面（ファイル名の格納場所を示すフォルダの表示画面）に対し、表示指示手段は、載置方向に応じて表示方向を決定すると共に、その実行画面の表示座標を決定し、決定した表示方向・表示座標でその実行画面の表示を行う指示を表示制御手段に出力するとよい。このようにして、非接触カード４０から読み出したファイル名に基づきファイラの表示制御を行うことができる。なお、ファイル名の代わりにフォルダ名を非接触カード４０に記憶させておいてもよく、その場合には、そのフォルダを開き、そのフォルダ内のファイルやサブフォルダを抽出するとよい。
【００７７】
また、ＨＤＤ１６に格納されているファイルをファイラでの表示対象としてもよいが、この表示システムに、複数のファイルを記憶した１又は複数台のサーバ装置（ファイルサーバ）がアクセス可能にネットワーク接続されている場合にはそのファイルサーバ内のファイルも表示対象としてもよい。このようなシステム構成に組み込まれたファイラは、ファイルサーバ内に記憶されたファイル群に対してもＨＤＤ１６に対する処理と同様の処理を実行できる。なお、上述の制御装置に接続された第２の情報処理装置をサーバとしてもよい。このときのファイラに対応するカード内情報としては、サーバ名を格納しておけばよい。サーバ名は、ファイラに入力してサーバ装置に保存されているファイル一覧を表示させるときに利用する。ここで一覧表示されるファイルの種類とは、プレゼンファイル等の文書ファイルや画像ファイルだけでなく、フォルダファイルも含むとよい。また、サーバ名を格納しておく場合、例えばサーバ名をカード内情報４４ｂとし、サーバ装置内のファイル閲覧の際に本人認証に必要なユーザＩＤ・パスワードもカード内情報４４ｃとして格納しておくとよい。
【００７８】
そして、上述の制御装置は、複数のアンテナ３０ＸＹのいずれか識別情報を読み取ったときに、非接触カード４０内のメモリ４４又は４９の所定のアドレスからファイルサーバを特定するための特定情報を読み出し、ファイラを起動させてその特定情報を渡すファイラ起動手段を備える。このファイラ起動手段も、例えばファイラ起動アプリケーションとして実行可能に組み込むとよい。特定情報はサーバ名で例示でき、その他、ファイルサーバのＵＲＩであってもよい。サーバ名の読み出しはファイル名と同様に通信制御手段で実行できる。
【００７９】
起動したファイラは、サーバ名で特定されたファイルサーバにアクセスし、そのファイルサーバに記憶されたファイル（フォルダファイルも含む）にアクセスし、その一覧をファイルサーバから得ることでファイル群を抽出する。このようにして、抽出されたファイル群を示すファイラの実行画面（そのファイルサーバのフォルダの表示画面）に対し、表示指示手段は、載置方向に応じて表示方向を決定すると共に、その実行画面の表示座標を決定し、決定した表示方向・表示座標でその実行画面の表示を行う指示を表示制御手段に出力するとよい。このようにして、非接触カード４０から読み出したサーバ名に基づきファイラの表示制御を行うことができる。なお、サーバ名の中に更に下層のファイル名等も記憶しておけば、よりそのユーザに合った実行画面が表示できる。
【００８０】
また、非接触カード４０のメモリ４４又は４９に検索文字列を記憶しておき、それをファイラ起動手段が読み出して、ファイラに検索文字列として渡すことで、ファイルサーバ内のファイルに含まれる文字列でファイルを検索して、検索結果としてのファイル群を実行画面として表示させることもできる。
【００８１】
次に、サーバ内のファイルの閲覧に際して、ユーザを識別するためのユーザ識別情報（ユーザＩＤとパスワード）を必要とする場合について説明する。この場合、ファイラ起動手段は、例えばサーバ名をファイラに渡した後に、非接触カード４０内のメモリ４４又は４９の他の所定のアドレスからユーザＩＤ・パスワードを読み出し、ファイラに渡す。ファイラは、サーバ名で示されるファイルサーバの閲覧画面にこのユーザＩＤ・パスワードを与える。また、ユーザＩＤ・パスワードは非接触カード４０が近接されているうちに読み出しておけばよく、まずファイルサーバにアクセスして正規の状態で表示できないときやユーザＩＤ・パスワード要求画面が表示された時点でファイルサーバに渡してもよい。
【００８２】
表示オブジェクトを非接触カード４０内のメモリ４４又はメモリ４９内の情報から得る他の例として、最初からユーザが開きたいファイルを決めている場合を説明する。そのような場合では、そのファイルを非接触カード４０にユーザが記憶させておき、表示システムがそこから読み出すようにするとよい。
【００８３】
ファイルの読み出しは、ステップＳ２の識別情報の読み出し処理より後で、且つステップＳ７におけるオブジェクトの表示処理より以前に実行するとよい。そのため、上述の制御装置は、複数のアンテナ３０ＸＹのいずれかで識別情報を読み取ったときに、非接触カード４０のメモリ４４又は４９に記録されている所定のファイルをコピーするファイルコピー手段を備えるとよい。この手段は、ファイルコピープログラムとして実行可能に組み込んでおくとよい。コピー対象の特定は、非接触カード４０のメモリ４４又は４９の所定のアドレスで示される格納領域に格納されたファイルとして特定してもよいし、メモリ４４又は４９内に格納されたファイルの中で所定のファイル形式をもつファイルとして特定してもよい。ファイル名の読み出しは、ファイル名の読み出しと同様に実行でき、読み出したファイルをＣＰＵ１５がＨＤＤ１６内にコピーするとよい。
【００８４】
次に、ＷＥＢページを表示する例を挙げる。このＷＥＢページ閲覧操作の前提として、上述の制御装置には、アプリケーションの一つとしてＷＥＢブラウザが実行可能に組み込まれ、インターネット等の広域ネットワークに接続しＷＥＢサーバ等と接続するためのＮＩＣ１７等のＩ／Ｆが具備されているものとする。そして、非接触カード４０内に、カード内情報Ａ１（４４ｂ）としてＵＲＬ（Uniform Resource Locators）を格納しておけばよく、必要に応じてカード内情報Ａ２（４４ｃ）としてユーザＩＤ・パスワードを格納しておけばよい。ＵＲＬは、ＷＥＢブラウザに入力してＷＥＢページの表示に利用する。なお、ＵＲＬの代わりにＵＲＮ（Uniform Resource Name）を用いてもよく、所謂ＵＲＩ（Uniform Resource Identifiers）を用いればよい。ユーザＩＤ・パスワードはＷＥＢページを開く際に本人認証に必要な情報である。
【００８５】
上述の制御装置は、複数のアンテナ３０ＸＹのいずれかで識別情報を読み取ったときに、通信制御手段でその読み取ったアンテナ３０ＸＹを制御して、その非接触カード４０内のメモリ４４又は４９の所定のアドレスからＵＲＬを読み出し、ＷＥＢブラウザを起動させてそのＵＲＬを渡すブラウザ起動手段を備える。このブラウザ起動手段は、例えばブラウザ起動アプリケーションとして実行可能に組み込むとよい。ＷＥＢブラウザがそのＵＲＬで示されるＷＥＢページにアクセスする。表示指示手段は、表示用ウインドウの表示座標としてＷＥＢブラウザの実行画面（ＵＲＬで示されるＷＥＢページの表示画面）の表示方向を載置方向に応じて決定し、同時に決定した表示座標でその実行画面の表示を行う指示を、表示制御手段に出力するとよい。このようにして、非接触カード４０から読み出したＵＲＬに基づきＷＥＢブラウザの表示制御を行うことができる。
【００８６】
また、非接触カード４０のメモリ４４又は４９に検索文字列を記憶しておき、それをブラウザ起動手段が読み出して、ＷＥＢブラウザに検索文字列として渡すことで、ＷＥＢブラウザが、インターネット検索サービスを利用した検索を行い、検索結果としてのリンク一覧を実行画面として表示させることもできる。
【００８７】
次に、ＷＥＢブラウザでそのＵＲＬで示されるＷＥＢページを閲覧するに際して、ユーザを識別するためのユーザ識別情報（ユーザＩＤとパスワード）を必要とする場合について説明する。この場合、ブラウザ起動手段は、例えばＵＲＬをＷＥＢブラウザに渡した後に、非接触カード４０内のメモリ４４又は４９の他の所定のアドレスから、ユーザＩＤ・パスワードを読み出し、ＷＥＢブラウザに渡す。ＷＥＢブラウザは、ＵＲＬで示されるＷＥＢページにこのユーザＩＤ・パスワードを与える。また、ユーザＩＤ・パスワードは非接触カード４０が近接されているうちに読み出しておけばよく、まずＷＥＢページにアクセスして正規の状態で表示できないときやユーザＩＤ・パスワード要求画面が表示された時点でＷＥＢブラウザに渡してもよい。
【００８８】
次に、電子メールのメーラを表示する例を挙げる。この前提として、上述の制御装置には、アプリケーションの一つとして電子メールのメーラが実行可能に組み込まれ、インターネット等の広域ネットワークに接続しメールサーバ等と接続するためのＮＩＣ等のＩ／Ｆが具備されているものとする。ＷＥＢページの表示処理に対して、ＷＥＢブラウザの代わりにメーラを起動し、ＵＲＬの代わりに送信先のＥメールアドレスを格納しておきそれを読み出すだけで、メール送信画面の表示処理が可能である。上述のユーザＩＤ・パスワードはメールアカウントとして利用することができる。
【００８９】
次に、印刷設定画面表示処理及びスキャン設定画面表示処理を行う例を挙げる。この前提として、ＮＩＣ１７等の外部機器接続インターフェース（Ｉ／Ｆ）に、スキャナ装置やプリンタを接続しておくことで、ＣＰＵ１５から画像読み取り命令や、ＨＤＤ１６内の画像等を印刷対象として印刷命令をかけることも、読み取った画像を取得することもできる。なお、プリンタやスキャナ装置は台座２０の基台２１上に設置しておくと便利である。さらに、前提として、上述の制御装置には、プリンタのプリンタドライバやスキャナ装置のスキャナドライバが実行可能に組み込まれているものとする。ＷＥＢページの表示処理に対して、ＷＥＢブラウザの代わりにプリンタドライバ又はスキャナドライバを起動し、ＵＲＬの代わりにプリンタ又はスキャナ装置を示すデバイス名（周辺機器名）を読み出すだけで、印刷設定画面の表示処理又はスキャン設定画面の表示処理が可能である。
【００９０】
上述した各例では、非接触カード４０内から得た情報から表示オブジェクトを決定することにより、その決定された表示オブジェクトを載置方向に応じて表示方向を決定して表示させた。しかし、表示方向を規定の方向とし転置方向に応じて決定しないものとし、載置方向に応じて表示オブジェクトを選択してもよい。そのため、上述の表示指示手段は、載置方向に応じて表示オブジェクトの選択を行い、選択した表示オブジェクトを取得し、取得した表示オブジェクトを表示する指示を表示制御手段に出力するとよい。
【００９１】
これにより、非接触カード４０の載置方向に応じて表示オブジェクトの選択が可能となる。例えば、載置方向に応じて表示方向を決定せずに、載置方向が正立方向、逆立方向、左向き方向、右向き方向であった場合に、それぞれ第１種、第２種、第３種、第４種のアプリケーションで実行可能な新規又は規定のファイルを選択して、それぞれの実行画面又はアイコンを表示させてもよい。
【００９２】
また、表示指示手段は、コピーした所定のファイルの実行画面又はそのファイルを開くためのアイコンを選択対象としたり、ＷＥＢブラウザの実行画面を選択対象にしたり、ファイラの実行画面を選択対象にしたりすることもできる。例えば、載置方向に応じて表示方向を決定せずに、載置方向が正立方向、逆立方向、左向き方向、右向き方向であった場合に、それぞれＷＥＢブラウザ、ＨＤＤ１６内のファイルに対するファイラ、ファイルサーバ内のファイルに対するファイラ、メーラの実行画面を、表示オブジェクトとして選択し表示させてもよい。
【００９３】
このように、表示オブジェクト選択は、載置方向に応じて、複数のカード内情報（ＵＲＬ、ファイル名、ファイルデータ等）の内の１つを選択することで行うこともでき、これによりそこで選択された表示オブジェクトを表示することができる。また、例えば、アノテーションが記載されたプレゼンファイルと、アノテーションが記載されていないプレゼンファイルの２つを非接触カード４０内に記憶させておき、非接触カード４０が正立状態ではアノテーションが記載されたプレゼンファイルを表示して、カードがその他の状態ではアノテーションが記載されていないプレゼンファイルを表示する、といった用途に用いることもできる。アノーテーションの有無は、ファイルのプロパティを読み出すことで判定することもでき、この判定結果に応じてこのような表示の切り替えを行えばよい。
【００９４】
次に、表示倍率の変更操作について説明する。上述した各例では、非接触カード４０内から得た情報から表示オブジェクトを決定することにより、その決定された表示オブジェクトを載置方向に応じて表示方向や表示オブジェクトを決定して表示させた。しかし、表示方向や表示オブジェクトを規定とし転置方向に応じて決定しないものとし、載置方向に応じて表示倍率を選択してもよい。そのため、上述の表示指示手段は、載置方向に応じて表示オブジェクトの表示倍率を決定し、決定した表示倍率でその表示オブジェクトを表示する設定を行い、その設定に基づき表示指示を表示制御手段に出力するとよい。結果的に表示制御手段は、非接触カード４０の載置方向に応じて表示倍率の変更を行うことができる。
【００９５】
例えば、載置方向が正立方向、左向き方向、逆立方向、右向き方向であった場合に、それぞれ１倍、２倍、３倍、４倍（或いは、１倍、２倍、１／４倍、１／２倍）などと表示倍率を変更して表示させてもよい。このように、載置方向の回転に応じて例えば左回しの場合には倍率を上げ、右回しの場合には倍率を下げるように表示倍率を変更してもよい。
【００９６】
上述した各例では、カード内情報４４ｂ，４４ｃ，４９ｂ，４９ｃとして表示オブジェクトの取得等に用いる例を挙げたが、カード内情報として設定情報を格納しておいてもよい。実際、上述した各例では、載置方向に応じて表示方向、表示倍率、表示オブジェクト選択のいずれを実行するのかが予め決まっていることが前提となる。しかし、好ましくは１つの表示システムでこれら各例の制御が選択的に実行できることが好ましい。設定情報は、そのような選択を行うために参照する情報である。
【００９７】
ＣＰＵ１５は、識別情報を受信した時点で、まずこの設定情報を通信手段で読み出すとよい。すなわち、上述の制御装置は、複数のアンテナ３０ＸＹのいずれかで識別情報を読み取ったときに、まず非接触カード４０に記録されている設定情報を読み出す設定情報読出手段を備えるとよい。この設定情報読出手段は、例えば設定情報読出アプリケーションとして実行可能に組み込むとよい。
【００９８】
そして、表示指示手段は、設定情報読出手段で読み出された設定情報に基づいて、表示方向設定、表示倍率設定、表示オブジェクト選択のいずれにするのか、また表示方向又は表示倍率を採用する場合には表示オブジェクトとしてどのファイルを決定するかなどを決定し、その決定に基づき表示オブジェクトの表示指示を表示制御手段に出力するとよい。このように、表示指示手段は、設定情報読出手段で読み出された設定情報に基づいて、少なくとも表示オブジェクトを決定することが好ましい。
【００９９】
設定情報の例を挙げる。まず、表示オブジェクトをアイコンとするのか、表示用ウインドウ（アプリケーション実行画面）とするのか、といった表示オブジェクトの種類を設定しておくとよい。さらに、アイコンの場合には、そのアイコンでリンクされるファイルは非接触カード４０からコピーする必要があるのか、新規に作成すればよいのか、新規に作成する場合にはどのアプリケーションのファイルであるのか、といった情報も、設定情報に含めるとよい。また、アプリケーション実行画面の場合には、どのアプリケーションを実行する必要があるのか、そのアプリケーションを実行する際に読み取りをしておいた方がユーザ操作性が向上する情報はカード内情報のうちどれか、といった情報も、設定情報に含めるとよい。また、表示オブジェクト選択を実行する場合には、選択対象の表示オブジェクト群又はその取得方法などを設定情報に記憶しておけばよい。
【０１００】
また、設定情報としては、ファイルを記憶しておき、ファイルコピー手段、ファイラ起動手段、ブラウザ起動手段、ファイル（新規ファイル）生成手段等として、ＣＰＵ１５を機能させるためのプログラムを、ａｕｔｏｅｘｅ．ｂａｔのような自動実行形式で記憶しておいてもよい。これにより、上述の設定情報読出アプリケーションは汎用ＯＳに既に組み込まれていることとなる。各手段としてＣＰＵ１５を機能させるためのプログラムが上述した制御装置に組み込まれているのであれば、どのプログラムを読み出すのかといった自動実行形式のプログラムを記憶しておいてもよい。
【０１０１】
ユーザが、必要に応じて各カード内情報を記憶させておき、それに合わせて最も近い時期に使用する設定を示す設定情報を記憶させておき、使用後には設定情報をユーザが自身のＰＣなどで書き換えればよい。
【０１０２】
さらに、以上の各例では、非接触カードに２つのＩＣタグを備えた例を挙げたが、３つ以上のＩＣタグを備えている場合にはそのうち少なくとも２つのＩＣタグを検出できれば載置方向は判定できる。さらに、１つのＩＣタグを備えた非接触カードでも載置方向を検出することができる。例えば、操作時に１つのＩＣタグのみ備えた非接触カードをスライドさせる方向を載置方向として決定し、表示オブジェクトの表示指示を行ってもよい。
【０１０３】
また、以上の各例においては、本表示システムをミーティングに使用することを前提として説明したが、例えばテーブルゲームなどでも利用できる。より具体的には、カードゲームで、親ユーザが非接触カードの近接によりカードのシャッフル及び自身のカードを表示し、その後、子ユーザも非接触カードの近接により、そのシャッフル後のカードをその子ユーザの方向に向けて表示させる。ゲーマーが非接触カードを近接する位置には、他人から見えないように垂直なガード板を画面上に配設しておけばよい。
【図面の簡単な説明】
【０１０４】
【図１】本発明の一実施形態に係る情報処理装置（表示システム）の一例を示す外観図である。
【図２】図１の表示システムの一構成例を示すブロック図である。
【図３】図２の表示パネルにおけるアンテナ配置例と図２の表示システムを操作する際に使用する非接触カードの例を示す図である。
【図４】図３の非接触カードの一構成例を示すブロック図である。
【図５】図２のＨＤＤに格納された情報の一例を示す図である。
【図６】図２の表示システムにおいて実行される処理の一例を説明するためのフロー図である。
【図７】図６の処理例における非接触カードの載置方法の一例を示す図である。
【図８】図７の載置方法で載置したときの、図６の処理例において表示される表示画面の一例を示す図である。
【図９】図６の処理例において表示される表示画面の他の例を示す図である。
【図１０】図６の処理例において表示される表示画面の他の例を示す図である。
【符号の説明】
【０１０５】
１０…表示装置、１１…表示手段（ＬＣＤパネル）、１２…タッチパネル、１３…メモリ、１４…ＬＣＤコントローラ、１５…ＣＰＵ、１６…ＨＤＤ、１７…ＮＩＣ、２０…台座、２１…基台、２２…脚部、３０…アンテナ群、３１…セレクタ、３２…通信ユニット、４０…非接触カード、４１…ＩＣタグＡ、４６…ＩＣタグＢ、４２，４７…カード側アンテナ、４３，４８…カード側ＣＰＵ、４４，４９…カード側メモリ。
【図１】
2009116800.tif 000003
【図２】
2009116800.tif 000004
【図３】
2009116800.tif 000005
【図４】
2009116800.tif 000006
【図５】
2009116800.tif 000007
【図６】
2009116800.tif 000008
【図７】
2009116800.tif 000009
【図８】
2009116800.tif 000010
【図９】
2009116800.tif 000011
【図１０】
2009116800.tif 000012